(57)【要約】【課題】新規のアレルゲン低減化剤およびアレルゲン低減化方法を提供する。【解決手段】焼成された貝殻を含むアレルゲン低減化剤、および焼成された貝殻とアレルゲンとを接触させる工程を含む、アレルゲン低減化方法。【選択図】なし【特許請求の範囲】
【請求項１】
焼成された貝殻を含むアレルゲン低減化剤。
【請求項２】
前記焼成された貝殻は粉末である、請求項１に記載のアレルゲン低減化剤。
【請求項３】
前記焼成された貝殻はホタテガイ、カキおよびホッキガイからなる群より選ばれる少なくとも１つに由来する焼成された貝殻を含む、請求項１または２に記載のアレルゲン低減化剤。
【請求項４】
前記焼成された貝殻の焼成温度は４００℃以上１６００℃以下である、請求項１〜３のいずれか１項に記載のアレルゲン低減化剤。
【請求項５】
低減化されるアレルゲンはダニアレルゲンまたは花粉アレルゲンを含む、請求項１〜４のいずれか１項に記載のアレルゲン低減化剤。
【請求項６】
粉剤または液剤である、請求項１〜５のいずれか１項に記載のアレルゲン低減化剤。
【請求項７】
焼成された貝殻とアレルゲンとを接触させる工程を含む、アレルゲン低減化方法。
【発明の詳細な説明】
【技術分野】
【０００１】
本発明は、アレルゲン低減化剤およびアレルゲン低減化方法に関する。
【背景技術】
【０００２】
ダニアレルゲン、花粉アレルゲン、カビアレルゲン、犬猫アレルゲン等のハウスダストアレルゲンは、アレルギー性喘息、アレルギー性鼻炎、結膜炎、アトピー性皮膚炎等のアレルギー性疾患を引き起こす。このため、アレルギー性疾患を予防または減弱させるために、生活環境からアレルゲンを低減させる技術が求められている。
【０００３】
ダニをアレルゲンとするアレルギー性疾患の対策としては、アレルゲンであるダニを駆除して、ダニを生活環境中から排除することが考えられる。特開２００１−８９３１０号公報（特許文献１）には、アレルゲンの原因となるダニを誘因および死滅させる捕獲器が開示されている。
【先行技術文献】
【特許文献】
【０００４】
【特許文献１】特開２００１−８９３１０号公報
【発明の概要】
【発明が解決しようとする課題】
【０００５】
しかしながら、捕獲器などを用いてダニを駆除したとしても、アレルゲンであるダニの死骸や糞が生活環境中に残るとアレルギー性疾患を引き起こす可能性がある。このため、アレルゲンを低減化させることのできる技術が求められている。
【０００６】
本発明は、新規のアレルゲン低減化剤およびアレルゲン低減化方法を提供することを目的とする。
【課題を解決するための手段】
【０００７】
［１］  焼成された貝殻を含むアレルゲン低減化剤。
【０００８】
［２］  前記焼成された貝殻は粉末である、［１］に記載のアレルゲン低減化剤。
【０００９】
［３］  前記焼成された貝殻はホタテガイ、カキおよびホッキガイからなる群より選ばれる少なくとも１つに由来する焼成された貝殻を含む、［１］または［２］に記載のアレルゲン低減化剤。
【００１０】
［４］  前記焼成された貝殻の焼成温度は４００℃以上１６００℃以下である、［１］〜［３］のいずれかに記載のアレルゲン低減化剤。
【００１１】
［５］  低減化されるアレルゲンはダニアレルゲンまたは花粉アレルゲンを含む、［１］〜［４］のいずれかに記載のアレルゲン低減化剤。
【００１２】
［６］  粉剤または液剤である、［１］〜［５］のいずれかに記載のアレルゲン低減化剤。
【００１３】
［７］  焼成された貝殻とアレルゲンとを接触させる工程を含む、アレルゲン低減化方法。
【発明の効果】
【００１４】
本発明によれば、新規のアレルゲン低減化剤およびアレルゲン低減化方法を提供することができる。
【図面の簡単な説明】
【００１５】
【図１】実験１（溶液法）による、アレルゲン低減化剤のＤｅｒ  ｆ１ダニアレルゲン低減化効果を示すグラフである。
【図２】実験２（微量液体法）による、アレルゲン低減化剤のＤｅｒ  ｆ１ダニアレルゲン低減化効果を示すグラフである。
【図３】焼成された貝殻の含有量によるアレルゲン低減化剤のアレルゲン低減化効果の変化を示すグラフである。
【図４】焼成された貝殻の含有量によるアレルゲン低減化剤のアレルゲン低減化効果の変化を示すグラフである。
【図５】アレルゲン低減化剤のＤｅｒ  ｐ１ダニアレルゲン低減化効果を示すグラフである。
【図６】アレルゲン低減化剤のＣｒｙ  ｊ１花粉アレルゲン低減化効果を示すグラフである。
【図７】アレルゲン低減化剤を懸濁した溶液を中和、および中和・ろ過した溶液のアレルゲン低減化効果を示すグラフである。
【図８】実験８（粉体法）による、アレルゲン低減化剤のＤｅｒ  ｆ１ダニアレルゲン低減化効果を示すグラフである。
【発明を実施するための形態】
【００１６】
＜アレルゲン低減化剤＞
アレルゲン低減化剤は〔Ａ〕焼成された貝殻を含む。
【００１７】
〔Ａ〕焼成された貝殻
貝殻は、貝類が外套膜の外面に分泌する硬組織である。貝殻の由来としては、特に限定されないが、ホタテガイ、カキ、ホッキガイ、アワビ、ムラサキガイ、サザエ、ハマグリ、アサリ、シジミ等が挙げられる。貝殻には、腕足動物や節足動物由来の殻、珊瑚、真珠層、卵殻等を含んでいてもよい。
【００１８】
貝殻は、その種によって変動するものの、例えば成分の９０質量％以上は炭酸カルシウムである。その他にＭｇＯ、ＳｉＯ２、酸化鉄などの微量成分を含んでいてもよい。貝殻中の炭酸カルシウムは、焼成によって酸化カルシウムに転化するため、焼成された貝殻は酸化カルシウムを含む。焼成温度や焼成時間によりその転化率は異なるが、高温焼成された貝殻に含まれる酸化カルシウムは、例えば約５０質量％以上約１００質量％以下である。また、焼成された貝殻は多孔質体である。焼成された貝殻は、アレルゲンを低減化することができる。
【００１９】
焼成によって生じた酸化カルシウムは、水に溶解すると水酸化カルシウムとなる。その水酸基イオンによる強アルカリ性によって、強いアレルゲン低減化効果をもたらす。しかしながら、酸化カルシウムへの転化が少なく、炭酸カルシウムを主成分とする低温焼成された貝殻は、水に溶解しても中性を示すが、ダニアレルゲン低減化効果を有する。このため、焼成された貝殻によるアレルゲン低減化効果は複数の機序で成立しているものと予想される。また、焼成された貝殻は強い殺菌効果も奏する。
【００２０】
焼成された貝殻は、天然物を原料にしているので安全性が極めて高く、環境負荷が小さい。また、焼成された貝殻は、天然石灰石を焼成して得られる生石灰よりも酸化カルシウムの純度が高く、鉄、硫黄、マンガン、マグネシウム、アルミニウム等が少ない。また、粉砕した際には粒子径を小さくすることができる。
【００２１】
貝殻は、貝の食消費によって大量に発生する。中でも成長が早く、大量に食消費されるホタテガイ、カキおよびホッキガイの殻は、安価に入手できると共に、廃物の有効利用として省資源および環境保全にも貢献できるため、好適に用いることができる。また、規則正しい方解石型の結晶構造をもち、焼成後の多孔質性に優れる点からも、ホタテガイまたはカキの殻が好ましい。焼成された貝殻は、市販されているものを用いることができる。
【００２２】
焼成された貝殻は、粉末または繊維状であることが好ましく、粉末であることがより好ましい。焼成された貝殻の粉末としては、貝殻をそのまま熱処理した後、機械的に粉砕したものや、貝殻を機械的に粉砕した後、熱処理したものを用いることができる。粉砕は１回だけでも、２回以上行ってもよい。また、数ｍｍ程度の粉末に予備粉砕した後に焼成し、その後微粉砕を行ってもよい。予備粉砕により焼成時の加熱効率が向上するとともに、加熱によって微粉砕を行いやすい多孔質構造となる。以下に詳細を説明する。
【００２３】
まず、不要になった貝殻を水洗および乾燥後に、予備粉砕する。粉砕の方法としては特に限定はされないが、人力で潰したり、クラッシャー、ハンマーミルを用いて行うことができる。その後、予備粉砕された貝殻を焼成する。
【００２４】
焼成方法や焼成条件は特に限定されないが、焼成温度は、例えば４００℃以上１６００℃以下である。より強いアレルゲン低減化効果を得るには、焼成温度は８００℃以上１２００℃以下程度の高温であることが好ましい。酸化カルシウムが主成分として十分に生成されるためである。比較的緩やかなアレルゲン低減化効果を得るには、焼成温度は４００℃以上８００℃以下程度の低温であることが好ましい。この場合、炭酸カルシウムが主成分となるためである。ここで、「主成分として」とは、焼成された貝殻のうち、５０質量％以上であることをいう。
【００２５】
焼成時間は、焼成温度にも依存するが、好ましくは３０分以上１５時間以下、より好ましくは１．５時間以上６時間以下、さらに好ましくは２時間以上４時間以下である。所定の温度の加熱の前にその所定の温度より３００℃〜５００℃程度低い温度で予備加熱を行う連続式の炉を用いてもよい。焼成温度が高すぎたり、焼成時間が長すぎると酸化カルシウム粒子のガラス化や物理強度の低下が起こる可能性がある。一方、焼成温度が低すぎたり、焼成時間が短すぎると、貝殻の成分である炭酸カルシウムから酸化カルシウムに十分に転化されなかったり、その後の微粉砕で粒径が均一になりにくい虞がある。
【００２６】
焼成装置に関しても特に限定されず、一般的な焼成装置を利用することができる。焼成装置としては、ベッケンバッハ炉、メルツ炉、ロータリーキルン、国井式炉、ＫＨＤ（カーハーディー）炉、コマ式炉、カルマチック炉、流動焼成炉、混合焼き立炉、電熱炉等を使用することができる。焼成時の雰囲気は、空気中、窒素等の不活性気体中、真空中等のいずれでもよい。
【００２７】
焼成後の貝殻の粉末をさらに微粉砕することで、所定の粒径の粉末を得ることができる。微粉砕の方法は特に限定されないが、乾式または湿式の公知の粉砕機、例えばボールミル、ビーズミル、ジェットミル等を用いることができる。
【００２８】
微粉砕された粉末の個数平均粒径は、好ましくは１００ｎｍ以上５ｍｍ以下であり、より好ましくは５００ｎｍ以上５００μｍ以下であり、さらに好ましくは１μｍ以上５０μｍ以下である。粉末の個数平均粒径がこの範囲であれば、アレルゲン低減化の効果が長く、また粉末の配合量を増やすことができる。貝殻の粉末の個数平均粒径は、レーザー回折・散乱光式のマイクロトラック粒度分布測定装置（マイクロトラック・ベル株式会社製）にて、常法に従って求めることができる。
【００２９】
焼成された貝殻の粉末の比表面積は、好ましくは０．５０ｍ２／ｇ以上２００ｍ２／ｇ以下であり、より好ましくは０．１ｍ２／ｇ以上３０ｍ２／ｇ以下であり、さらに好ましくは０．１ｍ２／ｇ以上１０ｍ２／ｇ以下である。比表面積は、ガス吸着法によって求めることができる。貝殻の粉末の比表面積が小さすぎる場合は、アレルゲンとの接触が悪くなり、アレルゲンの低減効果が十分に発揮できない場合がある。比表面積は、ＪＩＳ  Ｚ８８３０：２０１３（ガス吸着による粉体（固体）のＢＥＴ比表面積測定方法）に従って測定できる。
【００３０】
焼成された貝殻の粉末は、平均細孔径が好ましくは０．１μｍ以上１０μｍ以下、より好ましくは０．５μｍ以上５μｍ以下である細孔を有する。細孔径は水銀圧入法によって求めることができる。細孔径がこの範囲であるときに、アレルゲンとの接触が良好となり、アレルゲンの低減化効果がより向上する。
【００３１】
〔Ｂ〕その他の成分
アレルゲン低減化剤には、焼成された貝殻以外にも、発明の効果を損なわない範囲で、すでに公知となっているアレルゲン低減化成分をさらに添加してもよい。アレルゲン低減化成分としては、２，５−ジヒドロキシ安息香酸、２，６−ジヒドロキシ安息香酸、２，４，６−トリヒドロキシ安息香酸等のヒドロキシ安息香酸系化合物またはその塩等、柿渋等が挙げられる。
【００３２】
アレルゲン低減化剤は、さらにダニ誘引物質、ダニ忌避物質、殺ダニ物質等を含んでいてもよい。ダニ誘引物質は、ダニを誘引する物質であれば特に限定されないが、食餌性誘引物質、臭香性誘引物質等を用いることができる。殺ダニ物質は、ダニを殺す作用をもつ物質をいい、例えばシリカゲル、塩化カルシウム、活性炭、珪藻土粉剤、沸石、セラミックス等の多孔性物質が挙げられる。殺ダニ物質は、これらの微粉末を１つまたは２つ以上組み合わせて使用することができる。ダニ誘引物質、殺ダニ物質および焼成された貝殻を含むアレルゲン低減化剤は、ダニ誘引物質によってダニを集め、ダニを駆除するため、ダニの死骸や糞由来のアレルゲンを効率的に低減化することができる。
【００３３】
また、保存安定性を高めるため、防カビ剤、抗菌剤または溶剤を含有させてもよい。防カビ剤、抗菌剤としては、５−クロローＮ−メチルイソチアゾロン、パラオキシ安息香酸エチル、ヒノキチオール等、溶剤としてはエチレングリコール、プロピレングリコール等が挙げられる。また、界面活性剤、キレート剤、防錆剤、抗菌剤、香料、スケール防止剤、消泡剤、帯電防止剤、増粘剤、柔軟加工剤等を添加することも可能である。
【００３４】
［アレルゲン低減化剤の形状］
アレルゲン低減化剤の形状は、特に限定されないが、例えばフィルム状、シート状、棒状、粒状、粉末とすることができる。アレルゲン低減化剤は、例えば編物；織物；不織布；紙等の繊維製品、建築用内装材、樹脂成形体、活性炭、セラミックス材等を基材としてアレルゲン低減化剤を含有、含浸または被覆させたものでもよい。また、アレルゲン低減化剤の流脱を防ぐ加工が施されていてもよい。
【００３５】
アレルゲン低減化剤は、また、噴霧剤、エアゾール剤、その他の液剤として用いることができる。また、噴霧剤、エアゾール剤として用いる場合、例えば絨毯、カーテン、衣類、ソファ、クッション、ベッド、布団、ぬいぐるみ、掃除用ウェットワイパー、マスク、フィルター材料（空調装置、空気清浄機、加湿器等）、電気掃除機の集塵袋等の繊維製品に使用することができる。
【００３６】
アレルゲン低減化剤を噴霧剤として用いる場合、手動式トリガー型スプレーヤーでアレルゲン低減化剤を噴霧することができる。この場合、アレルゲン低減化効果が得られるのに十分な量の組成物を、繊維製品等に均一に担持するように噴霧することが好ましい。
【００３７】
［アレルゲン］
アレルゲンは、アレルギーの原因となる物質を指し、多くはタンパク質や糖タンパク質からなる。アレルゲンとＩｇＥ抗体とが結合してマスト細胞等が活性化すると、炎症が起こる。低減化されるアレルゲンとしては特に限定されず、ダニ由来のダニアレルゲン、花粉アレルゲン、カビアレルゲン、犬猫アレルゲン等が挙げられるが、好ましくは、ダニアレルゲンまたは花粉アレルゲンである。室内のアレルゲンのうち、約７０％はダニアレルゲンであるためである。中でも、室内の塵中に生息するチリダニ科のヒョウヒダニ類はアレルゲンの発生源として大きな割合を占める。
【００３８】
ヒョウヒダニ類の中でも、コナヒョウヒダニ（Ｄｅｒｍａｔｏｐｈａｇｏｉｄｅｓ  ｆａｒｉｎａｅ）およびヤケヒョウヒダニ（Ｄｅｒｍａｔｏｐｈａｇｏｉｄｅｓ  ｐｔｅｒｏｎｙｓｓｉｎｕｓ）は代表的な種であり、特に、これらの糞由来のＤｅｒ  ｆ１／Ｄｅｒ  ｐ１がアレルギー性疾患に主要なアレルゲンである。また、これら以外にも、死骸由来のＤｅｒ  ｆ２／Ｄｅｒ  ｐ２もアレルゲンとなる。
【００３９】
アレルゲンの低減化とは、抗体がアレルゲンと反応しなくなることであり、例えばアレルゲンの除去、捕捉、吸着、分解、変性または反応部位の被覆を含む。
【００４０】
＜アレルゲン低減化方法＞
アレルゲン低減化方法は、焼成された貝殻とアレルゲンとを接触させる工程を含む。焼成された貝殻およびアレルゲンとしては、上記に記載の焼成された貝殻およびアレルゲンを用いることができる。アレルゲンを焼成された貝殻と接触させることで、アレルゲンを低減化することができる。焼成された貝殻とアレルゲンとを接触させる方法としては、特に限定されないが、固体の焼成された貝殻にアレルゲンが添加されてもよいし、アレルゲンが存在する場所に固体または液体に溶解した焼成された貝殻を添加、噴霧等してもよい。
【実施例】
【００４１】
以下、実施例を挙げて本発明をより詳細に説明するが、本発明はこれらに限定されるものではない。
【００４２】
［実験１：アレルゲン低減化効果の検証（溶液法）］
ダニアレルゲンとアレルゲン低減化剤とを接触させて一定時間反応させた後、ダニアレルゲンの濃度をＥＬＩＳＡで測定し、アレルゲン低減化効果を評価した。具体的には、以下の手順で行った。
【００４３】
〔１〕ダニアレルゲンＤｅｒ  ｆ１の準備
アレルゲン低減化効果の評価に用いるＤｅｒ  ｆ１（コナヒョウヒダニ糞由来アレルゲン）は、Ｍｉｔｅ−Ｄｆ  Ｆｅｃｅｓ  ＡＧ（株式会社エル・エス・エル製）を購入し、付属の説明書に従い、ダニアレルゲン溶液（以下、Ｄｅｆ  ｆ１溶液と記すことがある）を調製した。調製した溶液のＤｅｒ  ｆ１濃度は、ダニアレルゲン測定用ＥＬＩＳＡキット（ニチニチ製薬株式会社製）を用いて決定した。また、測定した濃度を基準として、検量線用標準液を作製した。
【００４４】
〔２〕ダニアレルゲン溶液と試験粉体との反応方法
１）１９．５ｍＬのＴＢＳ−Ｔ（２５ｍＭ  Ｔｒｉｓ、１５０ｍＭ  ＮａＣｌ、０．０２％  Ｔｗｅｅｎ２０、ｐＨ７．５）を入れた２０ｍＬビーカーに、試験粉体を添加し、スターラーで撹拌した。
２）終濃度１００ｎｇ／ｍＬとなるようＤｅｒ  ｆ１溶液を添加した。
３）室温で攪拌させながら、１５分間反応させた。
４）ＨＣｌでｐＨを７．５に調整した。
５）反応溶液を０．４５μｍのフィルターに通し、沈殿物を除去した。
６）回収した溶液を試験液として、下記の方法によりダニアレルゲン濃度を測定した。
【００４５】
〔３〕ＥＬＩＳＡによる測定方法
１）捕捉抗体としてａｎｔｉ−Ｄｅｒ  ｆ１  ｍｏｕｓｅ  ＩｇＧ（ＩＮＤＯＯＲ  Ｂｉｏｔｅｃｈｎｏｌｏｇｉｅｓ社製、１：２０００）をＴＢＳ−Ｔで２０００倍希釈し、その希釈溶液を９６ｗｅｌｌ  ｐｌａｔｅ（Ｎｕｎｃ社製）の各ウェルに１００μＬずつ加え、４℃で一晩固相化させた。
２）ＴＢＳ−Ｔ（２５ｍＭ  Ｔｒｉｓ、１５０ｍＭ  ＮａＣｌ、０．０２％  Ｔｗｅｅｎ２０、ｐＨ７．５）により洗浄した後、１％  ＢＳＡを含むＴＢＳ−Ｔで１時間室温でブロッキングを行った。
３）ＴＢＳ−Ｔでウェルを洗浄後、試験液１００μＬをウェルに加え、３７℃で１時間インキュベートした。
４）ＴＢＳ−Ｔでウェルを洗浄後、検出抗体としてビオチン標識ａｎｔｉ−Ｄｅｒ  ｆ１／ｐ１  ｍｏｕｓｅ  ＩｇＧ（ＩＮＤＯＯＲ  Ｂｉｏｔｅｃｈｎｏｌｏｇｉｅｓ社製、１：２０００）をＴＢＳ−Ｔで２０００倍希釈し、その希釈溶液を各ウェルに１００μＬずつ加え、室温で２時間インキュベートした。
５）ＴＢＳ−Ｔでウェルを洗浄後、ＨＲＰ標識ストレプトアビジン（Ａｂｃａｍ社製）を各ウェルに１００μＬずつ加え、室温で３０分インキュベートした。
６）ＴＢＳ−Ｔでウェルを洗浄後、呈色反応を行った。呈色反応は、ＳｕｐｅｒＢｌｕｅ  ＴＭＢ基質（ＫＬＰ社製）を用いて行い、ＴＭＢ  Ｓｔｏｐ  ｓｏｌｕｔｉｏｎ（ＫＰＬ社製）によって反応を停止させた。
７）マイクロプレートリーダー（Ｍｏｌｅｃｕｌａｒ  Ｄｅｖｉｃｅ社製）によって、波長４５０ｎｍでの吸光度を測定した。検量線用標準液の吸光度から得られる検量線に基づいて、各試験液中のＤｅｒ  ｆ１濃度を定量した。
【００４６】
〔４〕アレルゲン低減化率（％）は以下の式に基づいて算出した。
アレルゲン低減化率（％）＝｛（初期アレルゲン濃度−反応後アレルゲン濃度）／初期アレルゲン濃度｝×１００
【００４７】
実験１で使用した試験粉体を次に示す。
実施例１：ホタテガイ由来の高温焼成貝殻（焼成温度１２００℃）
実施例２：１５質量％  ホタテガイ由来の高温焼成貝殻（焼成温度１２００℃）
８５質量％  ＮＫ−００１基材
実施例３：カキ由来の低温焼成貝殻（牡蠣殻ナノパウダー、焼成温度３００℃、株式会社くれブランド）
比較例１：ＮＫ−００１基材
比較例２：シリカゲル
【００４８】
上記ＮＫ−００１基材は、８５質量％ダニ誘引組成物と１５質量％殺ダニ物質とを含む。ダニ誘引組成物にはダニ誘引物質として食品香料（動物性および植物性脂肪酸ならびにそのエステル類）をダニ誘引組成物を基準に１．５質量％と、多孔性物質としてダニ誘引組成物を基準にシリカゲルを８．５質量％とを含む混合物を用いた。また、殺ダニ物質としては、シリカゲルを用いた。
【００４９】
各試験粉体のアレルゲン低減化率を図１に示す。比較例１のＮＫ−００１基材および比較例２のシリカゲルではアレルゲン低減化率が低いのに対し、実施例１の高温焼成貝殻（アレルゲン低減化剤）および実施例３の低温焼成貝殻（アレルゲン低減化剤）はアレルゲン低減化率が高かった。また、焼成貝殻を１５質量％含む実施例２の試験粉体（アレルゲン低減化剤）は、比較例１の試験粉体に比べてアレルゲン低減化率が上昇していた。貝殻の種類によらず焼成された貝殻はアレルゲンを低減化することができ、高温焼成された貝殻は、より強力にアレルゲンを低減化することができることがわかった。焼成された貝殻を含むアレルゲン低減化剤は、アレルゲンを低減化できることがわかった。
【００５０】
［実験２：アレルゲン低減化効果の検証（微量液体法）］
上記の〔２〕ダニアレルゲン溶液と試験粉体との反応方法以外は実験１と同様の方法によって、試験粉体のアレルゲン低減化効果を評価した。〔２〕は、より粉体同士の反応に近い環境で実験を行うために以下の手順で行った。
【００５１】
〔２〕ダニアレルゲン溶液と試験粉体との反応方法
１）ビーカーに試験粉体を入れ、２５μＬのダニアレルゲン溶液（Ｄｅｒ  ｆ１を２μｇ含む）を加え、薬さじで混合した。
２）室温で１５分静置後、１９．５ｍＬのＴＢＳ−Ｔ（２５ｍＭ  Ｔｒｉｓ、１５０ｍＭ  ＮａＣｌ、０．０２％  Ｔｗｅｅｎ２０、ｐＨ７．５）を加えた。
３）ＨＣｌを用いて、ｐＨを７．５に調整した。
４）反応溶液を０．４５μｍのフィルターに通し、沈殿物を除去した。
５）回収した溶液を試験液として、ＥＬＩＳＡによりダニアレルゲン濃度を測定した。
【００５２】
実験２で使用した試験粉体を次に示す。
実施例１：ホタテガイ由来の高温焼成貝殻（焼成温度１２００℃）
実施例２：１５質量％  ホタテガイ由来の高温焼成貝殻（焼成温度１２００℃）
８５質量％  ＮＫ−００１基材
実施例４：ホタテガイ由来の高温焼成貝殻（ほたて貝殻焼成品、焼成温度１０００℃、有限会社ふるさと物産）
実施例５：ホッキ由来の高温焼成貝殻（サーフセラ、焼成温度９００℃、株式会社安心やさい）
比較例１：ＮＫ−００１基材
比較例２：シリカゲル
【００５３】
各試験粉体のアレルゲン低減化率を図２に示す。本試験方法によれば、比較例１のＮＫ−００１基材および比較例２のシリカゲルに比べて、実施例１、４および５の焼成された貝殻（アレルゲン低減化剤）は貝殻の種類によらず高いアレルゲン低減化効果を示した。ＮＫ−００１に焼成貝殻を１５質量％混合した実施例２の試験粉体（アレルゲン低減化剤）は、比較例１に比べてアレルゲンの低減化率が上昇していた。焼成された貝殻を含むアレルゲン低減化剤は、液体および粉体のいずれの形態であってもアレルゲンを低減化できることがわかった。
【００５４】
［実験３：焼成された貝殻の含有量によるアレルゲン低減化効果の検証（微量液体法）］
アレルゲン低減化剤中の焼成された貝殻の含有量を質量０％から３０質量％まで図３に示すように変化させて、実験２と同様の方法によってアレルゲン低減化効果の検証を行った。
【００５５】
実験３で使用した試験粉体を次に示す。
ＭＦＹ基材：５０質量％動物飼育用粉末飼料（ＭＦ）と５０質量％乾燥ビール酵母との混合粉末（ダニ誘引物質）
焼成された貝殻：ホタテガイ由来の高温焼成貝殻（焼成温度１２００℃）
【００５６】
各試験粉体のアレルゲン低減化率を図３に示す。焼成された貝殻を含まないＭＦＹ基材はアレルゲン低減化率が低かったのに対し、焼成された貝殻を５質量％以上混合したＭＦＹ基材（アレルゲン低減化剤）は８０％以上の高いアレルゲン低減化率を示した。焼成された貝殻を１０質量％以上混合したＭＦＹ基材（アレルゲン低減化剤）は９０％以上のアレルゲン低減化率を示し、焼成された貝殻を２０質量％以上混合したＭＦＹ基材（アレルゲン低減化剤）は９５％以上のアレルゲン低減化率を示した。
【００５７】
［実験４：焼成された貝殻の含有量によるアレルゲン低減化効果の検証（微量液体法）］
アレルゲン低減化剤中の焼成された貝殻の含有量を０質量％から３０質量％まで図４に示すように変化させて、実験２と同様の方法によってアレルゲン低減化効果の検証を行った。
【００５８】
実験４では焼成された貝殻として、ホタテガイ由来の高温焼成貝殻（焼成温度１２００℃）を用いた。
【００５９】
各試験粉体のアレルゲン低減化率を図４に示す。焼成された貝殻を含まないＮＫ−００１基材はアレルゲン低減化率が低かったのに対し、焼成された貝殻を１０質量％以上混合したＮＫ−００１基材（アレルゲン低減化剤）は、８０％以上の高いアレルゲン低減化率を示した。焼成された貝殻を１５質量％以上混合したＮＫ−００１基材（アレルゲン低減化剤）は９０％以上のアレルゲン低減化率を示し、焼成された貝殻を２０質量％以上混合したＮＫ−００１基材（アレルゲン低減化剤）は９５％以上のアレルゲン低減化率を示した。
【００６０】
［実験５：異なるアレルゲンに対するアレルゲン低減化効果の検証（微量液体法）］
上記実験１〜４とは異なるダニアレルゲンを用いた以外は、実験２と同様の方法によってアレルゲン低減化効果の検証を行った。アレルゲンは、ヤケヒョウヒダニ糞由来のＤｅｒ  ｐ１（Ｍｉｔｅ−Ｄｐ  Ｆｅｃｅｓ  Ａｇ、株式会社エル・エス・エル製）を使用した。また、Ｄｅｒ  ｐ１の捕捉抗体としては、ａｎｔｉ−Ｄｅｒ  ｐ１  ｍｏｕｓｅ  ＩｇＧ（ＩＮＤＯＯＲ  Ｂｉｏｔｅｃｈｎｏｌｏｇｉｅｓ社製、１：１０００）、検出抗体としてはビオチン標識ａｎｔｉ−Ｄｅｒ  ｆ１／ｐ１  ｍｏｕｓｅ  ＩｇＧ（ＩＮＤＯＯＲ  Ｂｉｏｔｅｃｈｎｏｌｏｇｉｅｓ社製、１：１０００）を使用した。
【００６１】
実験５では、実験３および４で用いた焼成された貝殻、ＭＦＹ基材およびＮＫ−００１基材を用いており、アレルゲン低減化剤中の焼成された貝殻の割合が０質量％または１５質量％となるように基材と焼成された貝殻とを混合した。
【００６２】
各試験粉体のアレルゲン低減化率を図５に示す。焼成された貝殻を含まないＭＦＹ基材およびＮＫ−００１基材はＤｅｒ  ｐ１ダニアレルゲン低減化率が低かったのに対し、焼成された貝殻を１００質量％含むアレルゲン低減化剤ならびに焼成された貝殻を１５質量％含むＭＦＹ基材およびＮＫ−００１基材（アレルゲン低減化剤）はそれぞれＤｅｒ  ｐ１ダニアレルゲン低減化率が上昇していた。焼成された貝殻を含むアレルゲン低減化剤は、複数のアレルゲンを低減化できることがわかった。
【００６３】
［実験６：異なるアレルゲンに対するアレルゲン低減化効果の検証（微量液体法）］
アレルゲンとして花粉アレルゲンを用いた以外は、実験２と同様の方法によってアレルゲン低減化効果の検証を行った。アレルゲンは、スギ花粉由来のＣｒｙ  ｊ１（Ｊａｐａｎｅｓｅ  Ｃｅｄａｒ  Ｐｏｌｌｅｎ  Ａｌｌｅｒｇｅｎ，Ｓｕｇｉ  Ｂａｓｉｃ  Ｐｒｏｔｅｉｎ，Ｐｕｒｉｆｉｅｄ＜日本スギ花粉抗原ＳＢＰ＞、株式会社林原製）を使用した。また、Ｃｒｙ  ｊ１の濃度測定には、レビス（登録商標）  Ｃｒｙ  ｊ１  Ｅｌｉｓａキット（富士フイルム和光純薬株式会社製）を使用した。
【００６４】
実験６では、実験３および４で用いた焼成された貝殻、ＭＦＹ基材およびＮＫ−００１基材を用いており、アレルゲン低減化剤中の焼成された貝殻の割合が０質量％または１５質量％となるように基材と焼成された貝殻とを混合した。
【００６５】
各試験粉体のアレルゲン低減化率を図６に示す。焼成された貝殻を含まないＭＦＹ基材およびＮＫ−００１基材はＣｒｙ  ｊ１花粉アレルゲン低減化率が低かったのに対し、焼成された貝殻を１００質量％含むアレルゲン低減化剤ならびに焼成された貝殻を１５質量％含むＭＦＹ基材およびＮＫ−００１基材（アレルゲン低減化剤）はそれぞれＣｒｙ  ｊ１花粉アレルゲン低減化率が上昇していた。焼成された貝殻を含むアレルゲン低減化剤は、複数のアレルゲンを低減化できることがわかった。
【００６６】
［実験７：アレルゲン低減化効果の検証（溶液法）］
焼成した貝殻がアレルゲン低減化効果を奏する原因として、焼成された貝殻が水に溶解して強アルカリ性となることが考えられる。このため、焼成された貝殻を溶かした溶液を中和したときに、アレルゲン低減効果がどのように変化するかを検証した。実験は、上記実験１の〔２〕ダニアレルゲン溶液と試験粉体との反応方法において、ダニアレルゲンを添加する前にｐＨを７．５に中和する以外は実験１と同様にして行い、またバッファーはＴＢＳを用いた（図７中、中和処理のグラフ）。
【００６７】
また、上記実験１の〔２〕ダニアレルゲン溶液と試験粉体との反応方法において、上記のようにダニアレルゲンを添加する前にｐＨを７．５に中和し、さらに溶液を遠心および０．４５μｍのフィルターでろ過した溶液がアレルゲン低減化能を有するかを検証した（図７中、中和・ろ過処理のグラフ）。実験７の試験粉体は、高温焼成貝殻（焼成温度１２００℃）を用いた。
【００６８】
中和およびろ過を行わない試験液は、高いアレルゲン低減化効果を有していたが、中和処理を行った試験液はアレルゲン低減化率が低下しており、強アルカリ性がアレルゲンの低減化効果の一部に寄与していたと予想される。さらに、中和およびろ過を行った試験液は、アレルゲン低減化効果がより低下しているものの、一定の効果が見られた。中和およびろ過を行った試験液には焼成された貝殻が溶解して生じたカルシウムイオンが含まれていると考えられ、カルシウムイオンがアレルゲンの低減化に寄与している可能性が考えられる。一方、中和した試験液をろ過することにより、粉末の焼成された貝殻の多くが除かれる。ろ過によりアレルゲン低減化効果が低下した結果から、多孔質としての焼成された貝殻も、アレルゲンの低減化に寄与していることがわかった。実験７の結果より、焼成された貝殻は複数の要因によってアレルゲンを低減化していると考えられる。なお、焼成された貝殻は、酸化カルシウム（生石灰）およびその他の強アルカリ水溶液よりも安全性に優れている。
【００６９】
［実験８：アレルゲン低減化効果の検証（粉体法）］
実験８では、Ｄｅｒ  ｆ１溶液の代わりに８μｇのＤｅｒ  ｆ１を含む５ｍｇのダニ飼育培地（ＭＦＹ培地でコナヒョウヒダニを十分量の密度まで飼育後、ダニを殺滅するため高温および乾燥処理したもの。アレルゲン量および濃度はＥＬＩＳＡ法で決定した。）を用いた。試験粉体としては、実験４で用いた焼成された貝殻およびＮＫ−００１基材を、アレルゲン低減化剤中の焼成された貝殻の割合が１５質量％となるように混合したものを用いた。ダニ飼育培地と試験粉体とをビーカー中で混合し、室温で３０分静置した後、１９．５ｍＬのＴＢＳ−Ｔ（ｐＨ７．５）を添加し、すぐさまＨＣｌでｐＨを７．５に調整した。実験１と同様の方法で、溶液のダニアレルゲン濃度を測定した。実験８の方法によれば、より粉体に近い状態でアレルゲン低減化剤のアレルゲン低減化能を検証することができる。
【００７０】
実験８の結果を図８に示す。実験８の方法によっても、焼成された貝殻を１００質量％含むアレルゲン低減化剤およびＮＫ−００１基材に焼成された貝殻を混合したアレルゲン低減化剤は、焼成された貝殻を含まないＮＫ−００１基材に比べて高いアレルゲン低減化効果を示し、焼成された貝殻を含むアレルゲン低減化剤は、アレルゲンを低減化できることがわかった。
【００７１】
今回開示された実施形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図１】
2020090624.tif 000002
【図２】
2020090624.tif 000003
【図３】
2020090624.tif 000004
【図４】
2020090624.tif 000005
【図５】
2020090624.tif 000006
【図６】
2020090624.tif 000007
【図７】
2020090624.tif 000008
【図８】
2020090624.tif 000009
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
焼成された貝殻を含むアレルゲン低減化剤（ただし、チタンアパタイト及び珪藻土を含まない。）。
【請求項２】
前記焼成された貝殻は粉末である、請求項１に記載のアレルゲン低減化剤。
【請求項３】
前記焼成された貝殻はホタテガイ、カキおよびホッキガイからなる群より選ばれる少なくとも１つに由来する焼成された貝殻を含む、請求項１または２に記載のアレルゲン低減化剤。
【請求項４】
前記焼成された貝殻の焼成温度は４００℃以上１６００℃以下である、請求項１〜３のいずれか１項に記載のアレルゲン低減化剤。
【請求項５】
低減化されるアレルゲンはダニアレルゲンまたは花粉アレルゲンを含む、請求項１〜４のいずれか１項に記載のアレルゲン低減化剤。
【請求項６】
粉剤または液剤である、請求項１〜５のいずれか１項に記載のアレルゲン低減化剤。
【請求項７】
請求項１〜６のいずれか１項に記載のアレルゲン低減化剤とアレルゲンとを接触させる工程を含む、アレルゲン低減化方法。
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
８００℃より大きく１６００℃以下で焼成された貝殻を含むアレルゲン低減化剤（ただし、チタンアパタイト及び珪藻土を含まない。）。
【請求項２】
前記焼成された貝殻は粉末である、請求項１に記載のアレルゲン低減化剤。
【請求項３】
前記焼成された貝殻はホタテガイ、カキおよびホッキガイからなる群より選ばれる少なくとも１つに由来する焼成された貝殻を含む、請求項１または２に記載のアレルゲン低減化剤。
【請求項４】
低減化されるアレルゲンはダニアレルゲンまたは花粉アレルゲンを含む、請求項１〜３のいずれか１項に記載のアレルゲン低減化剤。
【請求項５】
粉剤または液剤である、請求項１〜４のいずれか１項に記載のアレルゲン低減化剤。
【請求項６】
請求項１〜５のいずれか１項に記載のアレルゲン低減化剤とアレルゲンとを接触させる工程を含む、アレルゲン低減化方法。
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
８００℃より大きく１６００℃以下で焼成された貝殻を含むアレルゲン低減化剤であって、アレルゲンは揮発性有機物質およびカビの胞子を含まない、アレルゲン低減化剤（ただし、チタンアパタイト及び珪藻土を含まない。）。
【請求項２】
８００℃より大きく１６００℃以下で焼成された貝殻を含むアレルゲン低減化剤であって、アレルゲンはタンパク質または糖タンパク質である、アレルゲン低減化剤（ただし、チタンアパタイト及び珪藻土を含まない。）。
【請求項３】
前記焼成された貝殻は粉末である、請求項１または２に記載のアレルゲン低減化剤。
【請求項４】
前記焼成された貝殻はホタテガイ、カキおよびホッキガイからなる群より選ばれる少なくとも１つに由来する焼成された貝殻を含む、請求項１〜３のいずれか１項に記載のアレルゲン低減化剤。
【請求項５】
低減化されるアレルゲンはダニアレルゲンまたは花粉アレルゲンを含む、請求項１〜４のいずれか１項に記載のアレルゲン低減化剤。
【請求項６】
粉剤または液剤である、請求項１〜５のいずれか１項に記載のアレルゲン低減化剤。
【請求項７】
請求項１〜６のいずれか１項に記載のアレルゲン低減化剤とアレルゲンとを接触させる工程を含む、アレルゲン低減化方法。
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
シート状の繊維製品であるアレルゲン低減化剤であって、
前記アレルゲン低減化剤は、８００℃より大きく１６００℃以下で焼成された貝殻を含み、チタンアパタイトおよび珪藻土を含まず、
アレルゲンは、ダニアレルゲンおよび花粉アレルゲンからなる群より選ばれる少なくとも１つである、アレルゲン低減化剤。
【請求項２】
前記焼成された貝殻は粉末である、請求項１に記載のアレルゲン低減化剤。
【請求項３】
前記焼成された貝殻はホタテガイ、カキおよびホッキガイからなる群より選ばれる少なくとも１つに由来する焼成された貝殻を含む、請求項１または２に記載のアレルゲン低減化剤。
【請求項４】
請求項１〜３のいずれか１項に記載のアレルゲン低減化剤とアレルゲンとを接触させる工程を含む、アレルゲン低減化方法。